(57)【要約】      （修正有）【課題】異なるサイズのサブブロックから構成されるデータトランスポートブロックを用いるワイヤレス通信のための方法、装置およびコンピュータプログラム製品を提供する。【解決手段】ＬＴＥにおける送信機のデータ送信方式は、データトランスポートブロック９０２を生成し、いくつかのサブブロック９０４、９０６，９０８に分割する。サブブロックは少なくとも第１のサブブロックと第２のサブブロックとを含み、第１のサブブロックのサイズは第２のサブブロックのサイズとは異なる。送信機は、異なるコードレートおよび／または異なるコーディング方式を使用していくつかのサブブロックを符号化し、異なる変調次数を使用して、符号化されたサブブロックを変調し得る。送信機は、サブブロックを受信機に送信する。【選択図】図９
2019118110.tif 000002
【特許請求の範囲】
【請求項１】
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
前記符号化された複数のサブブロックを送信することと
を備える、ワイヤレス通信の方法。
【請求項２】
前記第１のサブブロックの前記サイズが前記第２のサブブロックの前記サイズよりも小さく、前記符号化することが、第１のコードレートで前記第１のサブブロックを符号化することと、第２のコードレートで前記第２のサブブロックを符号化することとを備え、前記第１のコードレートが前記第２のコードレートよりも低い、請求項１に記載の方法。
【請求項３】
前記第１の符号化されたサブブロックの前記サイズが、前記第２の符号化されたサブブロックの前記サイズよりも小さく、前記方法が、第１の変調次数で前記第１のサブブロックを変調することと、第２の変調次数で前記第２のサブブロックを変調することとをさらに備え、前記第１の変調次数が前記第２の変調次数よりも低い、請求項１に記載の方法。
【請求項４】
前記第１のサブロックと前記第２のサブブロックとが異なる符号化方式を使用して符号化され、前記異なる符号化方式が、畳み込み符号化、ターボ符号化、または低密度パリティチェック（ＬＤＰＣ）符号化のうちの少なくとも１つを備える、請求項１に記載の方法。
【請求項５】
前記符号化された複数のサブブロックの連続順序に基づいて、前記符号化された複数のサブブロックの各々をリソースマッピングすることをさらに備え、前記リソースマッピングすることは、
前記符号化された複数のサブブロックの各々についてのリソース要素（ＲＥ）の数を決定することと、ＲＥの前記数が、前記符号化された複数のサブブロックの各々のサイズに基づいて決定される、
前記符号化された複数のサブブロックの各々をＲＥの前記決定された数にマッピングすることと
を備える、請求項１に記載の方法。
【請求項６】
前記符号化された複数のサブブロックのインターリーブされたシーケンスを生成するために、前記符号化された複数のサブブロックのうちの１つまたは複数をインターリーブすることと、
前記インターリーブされたシーケンスに基づいて、前記符号化された複数のサブブロックの各々をリソースマッピングすることと
をさらに備える、請求項１に記載の方法。
【請求項７】
複数の符号化されたサブブロックのうちの１つまたは複数のサイズを明示的に示す信号を送ることをさらに備える、請求項１に記載の方法。
【請求項８】
前記変調およびコーディング方式とトランスポートブロックインデックスとの組合せ、  前記送信中のＲＢの数、
前記送信中で送信されるレイヤの数、
前記送信中のサブブロックの数、または
それらの組合せ
のうちの１つまたは複数に基づいて、前記複数の符号化されたサブブロックのうちの１つまたは複数のサイズを暗黙的に示すことをさらに備える、請求項１に記載の方法。
【請求項９】
データトランスポートブロックに関連する複数の符号化されたサブブロックを受信することと、前記複数の符号化されたサブブロックが少なくとも第１の符号化されたサブブロックと第２の符号化されたサブブロックとを備え、前記第１の符号化されたサブブロックのサイズが前記第２の符号化されたサブブロックのサイズとは異なる、
少なくとも前記第１の符号化されたサブブロックと前記第２の符号化されたサブブロックとを復号することと
を備える、ワイヤレス通信の方法。
【請求項１０】
前記第１の符号化されたサブブロックの前記サイズが、前記第２の符号化されたサブブロックの前記サイズよりも小さく、
前記第１の符号化されたサブブロックのコードレートが、前記第２の符号化されたサブブロックのコードレートよりも低い、
請求項９に記載の方法。
【請求項１１】
前記第１の符号化されたサブブロックの前記サイズが、前記第２の符号化されたサブブロックの前記サイズよりも小さく、
前記第１の符号化されたサブブロックの変調次数が、前記第２の符号化されたサブブロックの変調次数よりも低い、
請求項９に記載の方法。
【請求項１２】
少なくとも前記第１の符号化されたサブブロックと前記第２の符号化されたサブブロックとを前記復号することは、
前記第１の符号化されたサブブロックの前記サイズが、前記第２の符号化されたサブブロックの前記サイズよりも小さいかどうかを決定することと、
前記第１の符号化されたサブブロックの前記サイズが前記第２の符号化されたサブブロックの前記サイズよりも小さいと決定されたとき、前記第２の符号化されたサブブロックより前に前記第１の符号化されたサブブロックを復号することと
を備える、請求項９に記載の方法。
【請求項１３】
前記第１の符号化されたサブブロックの前記復号に基づいて、前記複数の符号化されたサブブロックのうちの１つまたは複数のためのデータ支援チャネル推定を実行することをさらに備える、請求項１２に記載の方法。
【請求項１４】
複数の符号化されたサブブロックのうちの１つまたは複数のサイズを明示的に示す信号を受信することをさらに備える、請求項９に記載の方法。
【請求項１５】
前記変調およびコーディング方式とトランスポートブロックインデックスとの組合せ、  前記送信中のＲＢの数、
前記送信中で送信されるレイヤの数、
前記送信中のサブブロックの数、または
それらの組合せ
のうちの１つまたは複数に基づいて、前記複数の符号化されたサブブロックのうちの１つまたは複数のサイズを決定することをさらに備える、請求項９に記載の方法。
【請求項１６】
メモリと、
前記メモリに結合された少なくとも１つのプロセッサと
を備え、前記少なくとも１つのプロセッサは、
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
前記符号化された複数のサブブロックを送信することと
を行うように構成された、ワイヤレス通信のための装置。
【請求項１７】
前記第１のサブブロックの前記サイズが前記第２のサブブロックの前記サイズよりも小さく、前記複数のサブブロックを符号化するように構成された前記少なくとも１つのプロセッサが、第１のコードレートで前記第１のサブブロックを符号化することと、第２のコードレートで前記第２のサブブロックを符号化することとを行うように構成され、前記第１のコードレートが前記第２のコードレートよりも低い、請求項１６に記載の装置。
【請求項１８】
前記第１の符号化されたサブブロックの前記サイズが、前記第２の符号化されたサブブロックの前記サイズよりも小さく、前記少なくとも１つのプロセッサが、第１の変調次数で前記第１のサブブロックを変調することと、第２の変調次数で前記第２のサブブロックを変調することとを行うようにさらに構成され、前記第１の変調次数が前記第２の変調次数よりも低い、請求項１６に記載の装置。
【請求項１９】
前記第１のサブロックと前記第２のサブブロックとが異なる符号化方式を使用して符号化され、前記異なる符号化方式が、畳み込み符号化、ターボ符号化、または低密度パリティチェック（ＬＤＰＣ）符号化のうちの少なくとも１つを備える、請求項１６に記載の装置。
【請求項２０】
前記少なくとも１つのプロセッサが、前記符号化された複数のサブブロックの連続順序に基づいて、前記符号化された複数のサブブロックの各々をリソースマッピングするようにさらに構成され、前記少なくとも１つのプロセッサは、
前記符号化された複数のサブブロックの各々についてのリソース要素（ＲＥ）の数を決定することと、ＲＥの前記数が、前記符号化された複数のサブブロックの各々のサイズに基づいて決定される、
前記符号化された複数のサブブロックの各々をＲＥの前記決定された数にマッピングすることと
を行うようにさらに構成された、請求項１９に記載の装置。
【請求項２１】
前記少なくとも１つのプロセッサが、
前記符号化された複数のサブブロックのインターリーブされたシーケンスを生成するために、前記符号化された複数のサブブロックのうちの１つまたは複数をインターリーブすることと、
前記インターリーブされたシーケンスに基づいて、前記符号化された複数のサブブロックの各々をリソースマッピングすることと
を行うようにさらに構成された、請求項１６に記載の装置。
【請求項２２】
前記少なくとも１つのプロセッサが、複数の符号化されたサブブロックのうちの１つまたは複数のサイズを明示的に示す信号を送るようにさらに構成された、請求項１６に記載の装置。
【請求項２３】
前記少なくとも１つのプロセッサが、
前記変調およびコーディング方式とトランスポートブロックインデックスとの組合せ、  前記送信中のＲＢの数、
前記送信中で送信されるレイヤの数、
前記送信中のサブブロックの数、または
それらの組合せ
のうちの１つまたは複数に基づいて、前記複数の符号化されたサブブロックのうちの１つまたは複数のサイズを暗黙的に示すようにさらに構成された、請求項１６に記載の装置。
【請求項２４】
メモリと、
前記メモリに結合された少なくとも１つのプロセッサと
を備え、前記少なくとも１つのプロセッサは、
データトランスポートブロックに関連する複数の符号化されたサブブロックを受信することと、前記複数の符号化されたサブブロックが少なくとも第１の符号化されたサブブロックと第２の符号化されたサブブロックとを備え、前記第１の符号化されたサブブロックのサイズが前記第２の符号化されたサブブロックのサイズとは異なる、
少なくとも前記第１の符号化されたサブブロックと前記第２の符号化されたサブブロックとを復号することと
を行うように構成された、ワイヤレス通信のための装置。
【請求項２５】
前記第１の符号化されたサブブロックの前記サイズが、前記第２の符号化されたサブブロックの前記サイズよりも小さく、
前記第１の符号化されたサブブロックのコードレートが、前記第２の符号化されたサブブロックのコードレートよりも低い、
請求項２４に記載の装置。
【請求項２６】
前記第１の符号化されたサブブロックの前記サイズが、前記第２の符号化されたサブブロックの前記サイズよりも小さく、
前記第１の符号化されたサブブロックの変調次数が、前記第２の符号化されたサブブロックの変調次数よりも低い、
請求項２４に記載の装置。
【請求項２７】
前記少なくとも前記第１の符号化されたサブブロックと前記第２の符号化されたサブブロックとを復号するように構成された前記少なくとも１つのプロセッサは、
前記第１の符号化されたサブブロックの前記サイズが、前記第２の符号化されたサブブロックの前記サイズよりも小さいかどうかを決定することと、
前記第１の符号化されたサブブロックの前記サイズが前記第２の符号化されたサブブロックの前記サイズよりも小さいと決定されたとき、前記第２の符号化されたサブブロックより前に前記第１の符号化されたサブブロックを復号することと
を行うように構成された、請求項２４に記載の装置。
【請求項２８】
前記少なくとも１つのプロセッサが、前記第１の符号化されたサブブロックの前記復号に基づいて、前記複数の符号化されたサブブロックのうちの１つまたは複数のためのデータ支援チャネル推定を実行するようにさらに構成された、請求項２７に記載の装置。
【請求項２９】
前記少なくとも１つのプロセッサが、複数の符号化されたサブブロックのうちの１つまたは複数のサイズを明示的に示す信号を受信するようにさらに構成された、請求項２４に記載の装置。
【請求項３０】
コンピュータ可読媒体に記憶されたコンピュータプログラム製品であって、少なくとも１つのプロセッサ上で実行されたとき、前記少なくとも１つのプロセッサに、
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
前記符号化された複数のサブブロックを送信することと
を行わせるコードを備える、コンピュータプログラム製品。
【発明の詳細な説明】
【技術分野】
【０００１】
関連出願の相互参照
[0001]本出願は、その全体が参照により本明細書に明確に組み込まれる、２０１３年１０月９日に出願された「DATA TRANSMISSION SCHEME WITH UNEQUAL CODE BLOCK SIZES」と題する米国仮出願第６１／８８９，０２１号、および２０１４年１０月６日に出願された「DATA TRANSMISSION SCHEME WITH UNEQUAL CODE BLOCK SIZES」と題する米国非仮出願第１４／５０７，７４８号の利益を主張する。
【背景技術】
【０００２】
[0002]本開示は、一般に通信システムに関し、より詳細には、不等コードブロックサイズを用いたデータ送信方式に関する。
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ：time division multiple access）システム、周波数分割多元接続（ＦＤＭＡ：frequency division multiple access）システム、直交周波数分割多元接続（ＯＦＤＭＡ：orthogonal frequency division multiple access）システム、シングルキャリア周波数分割多元接続（ＳＣ−ＦＤＭＡ：single-carrier frequency division multiple access）システム、および時分割同期符号分割多元接続（ＴＤ−ＳＣＤＭＡ：time division synchronous code division multiple access）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、データトランスポートブロックを生成し、データトランスポートブロックをいくつかのサブブロックに分割する。サブブロックは少なくとも第１のサブブロックと第２のサブブロックとを含み、ただし、第１のサブブロックのサイズは第２のサブブロックのサイズとは異なる。本装置は、異なるコードレートおよび／または異なるコーディング方式を使用していくつかのサブブロックを符号化し得る。本装置は、異なる変調次数を使用して、符号化されたサブブロックを変調し得る。本装置は、サブブロックを受信機に送信する。したがって、１つまたは複数のサブブロックの特性（たとえば、ブロックサイズ、コードレート、および／または変調次数）を変化させることによって、受信機は、不十分なチャネル状態において他の符号化されたサブブロックよりも、少なくともいくつかの符号化されたサブブロックを正常に復号するより高い確率を有し得る。したがって、それらの符号化されたサブブロックを復号することによって決定された情報は、他の符号化されたサブブロックのためのチャネル推定を改善するために使用され得る。
【０００６】
[0006]本開示の一態様では、方法、コンピュータプログラム製品、および装置が提供される。本装置は、データトランスポートブロックに関連するいくつかの符号化されたサブブロックを受信する。符号化されたサブブロックは、少なくとも第１の符号化されたサブブロックと第２の符号化されたサブブロックとを含み、ただし、第１の符号化されたサブブロックのサイズは第２の符号化されたサブブロックのサイズとは異なる。本装置は、少なくとも第１の符号化されたサブブロックと第２の符号化されたサブブロックとを復号する。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７】[0013]異種ネットワーク中の範囲拡大セルラー領域を示す図。
【図８】[0014]従来の送信機の従来のデータ送信方式を示す図。
【図９】[0015]本発明の一実施形態による、送信機のデータ送信方式を示す図。
【図１０】[0016]ワイヤレス通信の方法のフローチャート。
【図１１】[0017]ワイヤレス通信の方法のフローチャート。
【図１２】[0018]例示的な装置中の異なるモジュール／手段／構成要素間のデータフローを示す概念データフロー図。
【図１３】[0019]処理システムを採用する装置のためのハードウェア実装形態の一例を示す図。
【図１４】[0020]例示的な装置における異なるモジュール／手段／構成要素間のデータフローを示す概念データフロー図。
【図１５】[0021]処理システムを採用する装置のためのハードウェア実装形態の一例を示す図。
【発明を実施するための形態】
【０００８】
[0022]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0023]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１０】
[0024]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0025]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１２】
[0026]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0027]Ｅ−ＵＴＲＡＮは、１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0028]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0029]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用され得る。
【００１６】
[0030]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
[0031]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１８】
[0032]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0033]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0034]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボルを含んでおり、合計８４個のリソース要素を含んでいる。拡張サイクリックプレフィックスの場合、リソースブロックは、時間領域中に６個の連続するＯＦＤＭシンボルを含んでおり、合計７２個のリソース要素を含んでいる。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0035]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0036]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２３】
[0037]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みを行うことができる。
【００２４】
[0038]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0039]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２６】
[0040]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0041]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0042]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0043]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0044]ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３１】
[0045]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0046]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0047]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0048]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0049]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0050]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とによってセルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が、範囲拡大セルラー領域７０３に入るとき、マクロｅＮＢ７１０ａからのＵＥ７２０のハンドオフを受け入れることが可能になる。
【００３７】
[0051]図８は、ＬＴＥにおける送信機の従来のデータ送信方式を示す図８００である。図８に示されているように、トランスポートブロック８０２は、コードブロック１  ８０４、コードブロック２  ８０６、およびコードブロックＮ  ８０８など、２つまたはそれ以上のより小さいコードブロック（サブブロックとも呼ばれる）に分割され得、ただし、コードブロックの各々は、同じブロックサイズ（たとえば、ｘビット）を有する。次いで、各コードブロックは、同じコードレートを使用して別個にチャネル符号化（たとえば、ターボ符号化）される。たとえば、符号化されたブロック１  ８１６を生成するためにコードブロック１  ８０４に対してチャネル符号化８１０が実行され、符号化されたブロック２  ８１８を生成するためにコードブロック２  ８０６に対してチャネル符号化８１２が実行され、符号化されたブロックＮ  ８２０を生成するためにコードブロックＮ  ８０８に対してチャネル符号化８１４が実行される。そのような例では、同じコードレート（たとえば、１／３コードレート）がチャネル符号化８１０、８１２、および８１４のために使用される。図８にさらに示すように、符号化されたブロック１  ８１６、符号化されたブロック２  ８１８、および符号化されたブロックＮ  ８２０はそれぞれ、同じ変調次数を使用して変調され、いくつかのリソース（たとえば、リソース要素）にマッピングされる。たとえば、符号化されたブロック１  ８１６は、８２２において１６ＱＡＭを使用して変調され、符号化されたブロック２  ８１８は、８２４において１６ＱＡＭを使用して変調され、符号化されたブロックＮ  ８２０は、８２６において１６ＱＡＭを使用して変調される。
【００３８】
[0052]符号化されたブロック１  ８１６、符号化されたブロック２  ８１８、および符号化されたブロックＮ  ８２０は、リソース要素（ＲＥ：resource element）に連続的にマッピングされ得る。ダウンリンク送信の場合、マッピングは、周波数割振りと後続の時間割振りとに基づいて実行される。アップリンク送信の場合、マッピングは、時間割振りと後続の周波数割振りとに基づいて実行される。共通基準信号または専用基準信号など、１つまたは複数の基準信号は、データのためのそれらのトーンで周波数分割多重化され得る。追加の基準信号の存在がチャネル推定を改善する一方、基準信号の数が増加するにつれて、送信のための利用可能なＲＥが減り、それによりスループットを低減させるので、基準信号のために使用されるトーンの数と、データトーンのために使用されるトーンの数との間のトレードオフがあることに留意されたい。
【００３９】
[0053]複数の符号化されたブロックが復号される必要がある従来の設計では、限られた数の基準信号により、復号性能は、基準信号に対する符号化されたブロックの位置に応じて、符号化されたブロックごとに変動し得る。他の符号化されたブロックのためのチャネル推定を改善するために、符号化されたブロック、またはいくつかの符号化されたブロックからのソフトビットを復号することによって決定された情報が使用され得るが、従来の設計における符号化されたブロックの特性は、不十分なチャネル状態における符号化されたブロックのいずれかの正常な復号の低い確率を生じ得る。たとえば、従来の設計における符号化されたブロックの特性は、比較的同じサイズ、コードレート、および変調次数を含み得る。しかしながら、１つまたは複数の符号化されたブロックの特性（たとえば、ブロックサイズ、コードレート、および／または変調次数）を変化させることによって、受信機は、不十分なチャネル状態において他の符号化されたブロックよりも、少なくともいくつかの符号化されたブロックを正常に復号するより高い確率を有し得る。したがって、それらの符号化されたブロックを復号することによって決定された情報は、他の符号化されたブロックのためのチャネル推定を改善するために使用され得る。
【００４０】
[0054]図９は、本発明の一実施形態による、ＬＴＥにおける送信機のデータ送信方式を示す図９００である。一態様では、送信機は、ＵＥまたはｅＮＢ（基地局とも呼ばれる）であり得る。図９に示されているように、トランスポートブロック９０２は、コードブロック１  ９０４、コードブロック２  ９０６、およびコードブロックＮ  ９０８など、２つまたはそれ以上のより小さいコードブロック（サブブロックとも呼ばれる）に分割され得、ただし、コードブロックのうちの２つまたはそれ以上は、異なるブロックサイズを有する。たとえば、コードブロック１  ９０４はサイズがｍビットであり得、コードブロック２  ９０６はサイズがｎビットであり得、ただし、ｍはｎよりも小さい。したがって、この例では、コードブロック１  ９０４のサイズは、コードブロック２  ９０６のサイズよりも小さい。一態様では、いくつかのコードブロックは、実質的に異なるブロックサイズを有し得る。しかしながら、ｍおよびｎの値は変動し得、ただし、ｎはｍよりも小さいか、または同様のサイズであり得る。
【００４１】
[0055]一態様では、符号化されたブロック（符号化されたサブブロックとも呼ばれる）を生成するために、各コードブロックは、別個にチャネル符号化（たとえば、ターボ符号化）される。たとえば、符号化されたブロック１  ９１６を生成するためにコードブロック１  ９０４に対してチャネル符号化９１０が実行され、符号化されたブロック２  ９１８を生成するためにコードブロック２  ９０６に対してチャネル符号化９１２が実行され、符号化されたブロックＮ  ９２０を生成するためにコードブロックＮ  ９０８に対してチャネル符号化９１４が実行される。一態様では、チャネル符号化９１０、９１２、および９１４のために異なるコードレートが使用され得る。そのような態様では、各コードレートは、より低いコードレートがより小さいコードブロックのために選択されるように、コードブロックのサイズに基づいて選択され得る。たとえば、コードブロック１  ９０４がコードブロック２  ９０６よりもサイズが小さい場合、コードブロック１  ９０４のために１／３コードレートが使用され得、コードブロック２  ９０６のために２／３コードレートが使用され得る。本明細書で説明するコードブロックのためのコードレートを選択するための特定の例が実施形態を与え、特定の例で説明するコードレートとは異なるコードレートが使用され得ることを理解されたい。
【００４２】
[0056]図９にさらに示すように、符号化されたブロック１  ９１６、符号化されたブロック２  ９１８、および符号化されたブロックＮ  ９２０は、それぞれ変調され、いくつかのリソース（たとえば、ＲＥ）にマッピングされる。一態様では、１つの符号化されたブロックのために使用される変調タイプおよび／または変調次数は、別の符号化されたブロックのために使用される変調タイプおよび／または変調次数とは異なり得る。一態様では、変調タイプおよび／または変調次数は、符号化されたブロックのサイズに基づいて符号化されたブロックのために選択され得る。たとえば、符号化されたブロック１  ９１６が符号化されたブロック２  ９１８よりもサイズが小さい場合、符号化されたブロック１  ９１６は、９２２においてＱＰＳＫを使用して変調され得、符号化されたブロック２  ９１８は、９２４において１６ＱＡＭを使用して変調され得る。したがって、そのような例では、符号化されたブロックＮ  ９２０は、９２６において、符号化されたブロックＮ  ９２０のサイズに基づいて適切な変調次数を使用して変調され得る。
【００４３】
[0057]一態様では、符号化されたブロック（たとえば、符号化されたブロック１  ９１６、符号化されたブロック２  ９１８、および符号化されたブロックＮ  ９２０）は、いくつかのリソース（たとえば、ＲＥ）に連続的にマッピングされる。ダウンリンク送信の場合、マッピングは、周波数割振りと後続の時間割振りとに基づいて実行される。アップリンク送信の場合、マッピングは、時間割振りと後続の周波数割振りとに基づいて実行される。一態様では、符号化されたブロック（たとえば、符号化されたブロック１  ９１６、符号化されたブロック２  ９１８、および符号化されたブロックＮ  ９２０）はインターリーブされ得、インターリーブされた符号化されたブロックは、いくつかのリソースに連続的にマッピングされ得る。ダウンリンク送信の場合、インターリーブされた符号化されたブロックのマッピングは、周波数割振りと後続の時間割振りとに基づいて実行される。アップリンク送信の場合、インターリーブされた符号化されたブロックのマッピングは、時間割振りと後続の周波数割振りとに基づいて実行される。一態様では、符号化されたブロックのためのＲＥの数は変動し得る。一態様では、符号化されたブロックのためのＲＥの数はブロックサイズの関数であり得る。符号化されたブロックがいくつかのリソースにマッピングされた後、符号化されたブロックは１つまたは複数の受信機に送信され得る。
【００４４】
[0058]一態様では、送信機は、トランスポートブロックに関連する異なるサイズの符号化されたブロックが構成されたことを示す、および／または符号化されたブロックのうちの１つまたは複数のサイズを示す信号を生成し、送信し得る。一態様では、信号は、異なるサイズの符号化されたブロックが構成されたことを明示的に示し得、および／または制御チャネルを通して符号化されたブロックのうちの１つまたは複数のサイズを明示的に示し得る。別の態様では、異なるサイズの符号化されたブロックの構成および／または符号化されたブロックのうちの１つまたは複数のサイズは、変調およびコーディング方式（ＭＣＳ：modulation and coding scheme）／トランスポートブロックサイズ（ＴＢＳ）インデックス、送信のために割り当てられたＲＢの数、送信されるレイヤの数、および／または送信のために必要とされる符号化されたブロックの数に基づいて暗黙的に示され得る。
【００４５】
[0059]本明細書で説明する特定の例が実施形態を与え、他の実施形態では、コードブロックサイズ、ＭＣＳ、およびコーディングレートは変更され、および／または別様に構成され得ることを理解されたい。その上、特定の例は、いくつかのブロックが異なるプロパティを有することを示すが、これらは例にすぎない。
【００４６】
[0060]一態様では、受信機は、符号化されたブロックを受信し得、符号化されたブロックのサイズに基づいて符号化されたブロックのための復号順序を決定し得る。一態様では、受信機は、ＵＥまたはｅＮＢ（基地局とも呼ばれる）であり得る。一態様では、受信機は、最初に最小サイズを有する符号化されたブロックを復号するように構成され得る。たとえば、受信機は、受信された符号化されたブロックのうちの１つが受信された符号化されたブロックのうちの別のブロックよりもサイズが小さいことを識別し得、より大きい符号化されたブロックより前により小さい符号化されたブロックを続いて復号し得る。別の態様では、受信機は、符号化されたブロックのサイズを顧慮せずに符号化されたブロックを連続的に復号し得る。一態様では、受信機は、最小サイズを有する符号化されたブロックを復号することから決定された情報に基づいて、符号化されたブロックのうちの１つまたは複数のためのデータ支援チャネル推定（data-aided channel estimation）を実行し得る。一態様では、受信機は、符号化されたブロックのサイズを決定するために、符号化されたブロックのうちの１つまたは複数のサイズを示す、前に説明した信号を受信し得る。
【００４７】
[0061]最小サイズを有する符号化されたブロックが、より大きいサイズの符号化されたブロックに関してより低いコードレートで符号化され得、より低い変調次数で変調され得るので、受信機は、最小サイズを有する符号化されたブロックを正常に復号するより高い確率を有し得ることに理解されたい。
【００４８】
[0062]図１０は、ワイヤレス通信の方法のフローチャート１０００である。本方法は、ＵＥまたはｅＮＢなどの送信機によって実行され得る。図１０中の破線によって示されたステップが随意のステップであることを理解されたい。
【００４９】
[0063]ステップ１００２において、送信機はデータトランスポートブロックを生成する。たとえば、データトランスポートブロック（たとえば、図９中のトランスポートブロック９０２）は、送信機のＭＡＣレイヤによって生成されたＭＡＣ  ＰＤＵであり得、共有チャネル上で送信されるべきデータを含み得る。
【００５０】
[0064]ステップ１００４において、送信機はデータトランスポートブロックをいくつかのサブブロックに分割する。たとえば、図９を参照すると、サブブロックは、少なくとも第１のサブブロック（たとえば、コードブロック１  ９０４）と第２のサブブロック（たとえば、コードブロック２  ９０６）とを含む。第１のサブブロックのサイズは第２のサブブロックのサイズとは異なる。たとえば、コードブロック１  ９０４はサイズがｍビットであり得、コードブロック２  ９０６はサイズがｎビットであり得る。一態様では、第１のサブブロックのサイズは第２のサブブロックのサイズよりも小さい。
【００５１】
[0065]ステップ１００６において、送信機はサブブロックを符号化する。一態様では、第１のサブブロックのサイズが第２のサブブロックのサイズよりも小さいとき、送信機は、第１のコードレートで第１のサブブロックを符号化し、第２のコードレートで第２のサブブロックを符号化し、第１のコードレートは第２のコードレートよりも低い。たとえば、図９を参照すると、コードブロック１  ９０４は、９１０において１／３コードレートでチャネル符号化され得、コードブロック２  ９０６は、９１２において２／３コードレートでチャネル符号化され得る。
【００５２】
[0066]ステップ１００８において、送信機は、符号化された複数のサブブロックのインターリーブされたシーケンスを生成するために、符号化された複数のサブブロックのうちの１つまたは複数をインターリーブする。
【００５３】
[0067]ステップ１０１０において、送信機は第１の変調次数で第１のサブブロックを変調し、第２の変調次数で第２のサブブロックを変調し、第１の変調次数は第２の変調次数よりも低い。たとえば、図９を参照すると、符号化されたブロック１  ９１６が符号化されたブロック２  ９１８よりもサイズが小さい場合、符号化されたブロック１  ９１６は、９２２においてＱＰＳＫを使用して変調され得、符号化されたブロック２  ９１８は、９２４において１６ＱＡＭを使用して変調され得る。
【００５４】
[0068]ステップ１０１２において、送信機は、符号化された複数のサブブロックの連続順序またはインターリーブされたシーケンスに基づいて、符号化された複数のサブブロックの各々をリソースマッピングする。一態様では、リソースマッピングは、符号化された複数のサブブロックの各々についてのＲＥの数を決定することによって実行され、ＲＥの数は、符号化された複数のサブブロックの各々のサイズに基づいて決定され、符号化された複数のサブブロックの各々をＲＥの決定された数にマッピングする。
【００５５】
[0069]ステップ１０１４において、送信機は、符号化された複数のサブブロックを送信する。
【００５６】
[0070]ステップ１０１６において、送信機は、複数の符号化されたサブブロックのうちの１つまたは複数のサイズを明示的に示す信号を送る。
【００５７】
[0071]ステップ１０１８において、送信機は、変調およびコーディング方式とトランスポートブロックインデックスとの組合せ、送信中のＲＢの数、送信中で送信されるレイヤの数、送信中のサブブロックの数、またはそれらの組合せのうちの１つまたは複数に基づいて、複数の符号化されたサブブロックのうちの１つまたは複数のサイズを暗黙的に示す。
【００５８】
[0072]図１０に関して上記で説明したステップのうちの１つまたは複数が別個に実装され得ることを理解されたい。たとえば、トランスポートブロックは、異なるブロックサイズをもつサブブロックに分割され得、異なるコーディングレートを使用して符号化され得、異なる変調次数で変調され得る。代替的に、そのような動作のうちの１つまたはその組合せが実行され得る。たとえば、第１のサブブロック（たとえば、コードブロック１  ９０４）および第２のサブブロック（たとえば、コードブロック２  ９０６）は異なるサイズを有し得、異なるコードレートで符号化され得るが、符号化された第１および第２のサブブロックに適用される変調次数は同じであり得る。
【００５９】
[0073]図１１は、ワイヤレス通信の方法のフローチャート１１００である。本方法は、ＵＥまたはｅＮＢなどの受信機によって実行され得る。図１１中の破線によって示されたステップが随意のステップであることを理解されたい。
【００６０】
[0074]ステップ１１０２において、受信機は、データトランスポートブロックに関連する複数の符号化されたサブブロックを受信し、複数の符号化されたサブブロックは、少なくとも第１の符号化されたサブブロックと第２の符号化されたサブブロックとを備え、第１の符号化されたサブブロックのサイズは第２の符号化されたサブブロックのサイズとは異なる。一態様では、第１の符号化されたサブブロックのサイズは、第２の符号化されたサブブロックのサイズよりも小さく、第１の符号化されたサブブロックのコードレートは、第２の符号化されたサブブロックのコードレートよりも低い。そのような態様では、第１の符号化されたサブブロックの変調次数は、第２の符号化されたサブブロックの変調次数よりも低い。
【００６１】
[0075]ステップ１１０４において、受信機は、複数の符号化されたサブブロックのうちの１つまたは複数のサイズを明示的に示す信号を受信する。
【００６２】
[0076]ステップ１１０６において、受信機は、変調およびコーディング方式とトランスポートブロックインデックスとの組合せ、送信中のＲＢの数、送信中で送信されるレイヤの数、送信中のサブブロックの数、またはそれらの組合せのうちの１つまたは複数に基づいて、複数の符号化されたサブブロックのうちの１つまたは複数のサイズを決定する。
【００６３】
[0077]ステップ１１０８において、受信機は、第１の符号化されたサブブロックのサイズが、第２の符号化されたサブブロックのサイズよりも小さいかどうかを決定する。
【００６４】
[0078]ステップ１１１０において、受信機は、少なくとも第１の符号化されたサブブロックと第２の符号化されたサブブロックとを復号する。一態様では、受信機は、第１の符号化されたサブブロックのサイズが第２の符号化されたサブブロックのサイズよりも小さいと決定されたとき、第２の符号化されたサブブロックより前に第１の符号化されたサブブロックを復号する。
【００６５】
[0079]ステップ１１１２において、受信機は、第１の符号化されたサブブロックの復号に基づいて、複数の符号化されたサブブロックのうちの１つまたは複数のためのデータ支援チャネル推定を実行する。
【００６６】
[0080]図１２は、例示的な装置１２０２の異なるモジュール／手段／構成要素間のデータフローを示す概念データフロー図１２００である。本装置は、ＵＥまたはｅＮＢなどの送信機であり得る。本装置は、送信機からワイヤレス送信１２０３を受信する受信モジュール１２０４を含む。本装置は、データトランスポートブロックを生成する生成モジュール１２０６をさらに含む。一態様では、トランスポートブロックは、受信モジュールによって与えられるデータ１２０５に基づいて生成され得る。本装置は、生成モジュール１２０６からのデータトランスポートブロック１２０７をいくつかのサブブロックに分割する分割モジュール１２０８をさらに含む。本装置は、分割モジュール１２０８からのサブブロック１２０９を符号化する符号化モジュール１２１０をさらに含む。本装置は、符号化されたサブブロックのインターリーブされたシーケンス１２１３を生成するために、符号化モジュール１２１０からの符号化されたサブブロック１２１１のうちの１つまたは複数をインターリーブするインターリービングモジュール１２１２をさらに含む。本装置は、第１の変調次数で第１のサブブロックを変調し、第２の変調次数で第２のサブブロックを変調する変調モジュール１２１４をさらに含む。本装置は、符号化されたサブブロックの連続順序に基づいて、またはインターリーブされたシーケンスに基づいて、符号化されたサブブロック１２１５の各々をリソースマッピングし、送信モジュール１２２０にリソースマッピングされたサブブロック１２１７を与えるリソースマッピングモジュール１２１６をさらに含む。本装置は、サブブロックサイズ情報１２１９を受信し、符号化されたサブブロックのうちの１つまたは複数のサイズを明示的に示すか、または符号化されたサブブロックのうちの１つまたは複数のサイズを暗黙的に示す信号１２２１を（送信モジュール１２２０を介して）送るサイズ指示モジュール１２１８をさらに含む。本装置は、符号化されたサブブロック１２２３を送信するモジュール１２２０をさらに含む。
【００６７】
[0081]本装置は、図１０の上述のフローチャート中のアルゴリズムのステップの各々を実行する追加のモジュールを含み得る。したがって、図１０の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６８】
[0082]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４、モジュール１２０４、１２０６、１２０８、１２１０、１２１２、１２１４、１２１６、１２１８、および１２２０、ならびにコンピュータ可読媒体／メモリ１３０６によって表される、１つまたは複数のプロセッサおよび／またはハードウェアモジュールを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００６９】
[0083]処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信された信号から情報を抽出し、抽出された情報を処理システム１３１４、特に受信モジュール１２０４に与える。さらに、トランシーバ１３１０は、処理システム１３１４、特に送信モジュール１２２０から情報を受信し、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担当する。ソフトウェアは、プロセッサ１３０４によって実行されたとき、処理システム１３１４に、特定の装置のための上記で説明された様々な機能を実行させる。コンピュータ可読媒体／メモリ１３０６はまた、ソフトウェアを実行するときにプロセッサ１３０４によって操作されるデータを記憶するために使用され得る。処理システムは、モジュール１２０４、１２０６、１２０８、１２１０、１２１２、１２１４、１２１６、１２１８、または１２２０のうちの少なくとも１つをさらに含む。それらのモジュールは、プロセッサ１３０４中で動作するか、コンピュータ可読媒体／メモリ１３０６中に常駐する／記憶されたソフトウェアモジュールであるか、プロセッサ１３０４に結合された１つまたは複数のハードウェアモジュールであるか、またはそれらの何らかの組合せであり得る。一態様では、処理システム１３１４は、ｅＮＢ６１０の構成要素であり得、メモリ６７６、および／あるいはＴＸプロセッサ６１６、ＲＸプロセッサ６７０、またはコントローラ／プロセッサ６７５のうちの少なくとも１つを含み得る。別の態様では、処理システム１３１４は、ＵＥ６５０の構成要素であり得、メモリ６６０、および／あるいはＴＸプロセッサ６６８、ＲＸプロセッサ６５６、またはコントローラ／プロセッサ６５９のうちの少なくとも１つを含み得る。
【００７０】
[0084]一構成では、ワイヤレス通信のための装置１２０２／１２０２’は、データトランスポートブロックを生成するための手段と、データトランスポートブロックを複数のサブブロックに分割するための手段と、複数のサブブロックを符号化するための手段と、符号化された複数のサブブロックを送信するための手段と、第１の変調次数で第１のサブブロックを変調し、第２の変調次数で第２のサブブロックを変調するための手段と、符号化された複数のサブブロックの連続順序に基づいて、符号化された複数のサブブロックの各々をリソースマッピングするための手段と、符号化された複数のサブブロックのインターリーブされたシーケンスを生成するために、符号化された複数のサブブロックのうちの１つまたは複数をインターリーブするための手段と、インターリーブされたシーケンスに基づいて、符号化された複数のサブブロックの各々をリソースマッピングするための手段と、複数の符号化されたサブブロックのうちの１つまたは複数のサイズを明示的に示す信号を送るための手段と、複数の符号化されたサブブロックのうちの１つまたは複数のサイズを暗黙的に示すための手段とを含む。上述の手段は、上述の手段によって具陳される機能を実行するように構成された、装置１２０２の上述のモジュールおよび／または装置１２０２’の処理システム１３１４のうちの１つまたは複数であり得る。一態様では、上記で説明したように、処理システム１３１４は、ＴＸプロセッサ６１６と、ＲＸプロセッサ６７０と、コントローラ／プロセッサ６７５とを含み得る。したがって、一構成では、上述の手段は、上述の手段によって具陳される機能を実行するように構成された、ＴＸプロセッサ６１６と、ＲＸプロセッサ６７０と、コントローラ／プロセッサ６７５とであり得る。別の態様では、上記で説明したように、処理システム１３１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。
【００７１】
[0085]図１４は、例示的な装置１４０２の異なるモジュール／手段／構成要素間のデータフローを示す概念データフロー図１４００である。本装置は、ＵＥまたはｅＮＢなどの受信機であり得る。本装置は、データトランスポートブロックに関連するいくつかの符号化されたサブブロック１４０３を受信し、および／または複数の符号化されたサブブロックのうちの１つまたは複数のサイズを明示的に示す信号１４１５を受信する受信モジュール１４０４と、符号化されたサブブロックのうちの１つまたは複数のサイズを明示的にまたは暗黙的に決定する決定モジュール１４０６と、決定モジュール１４０６から受信された符号化されたサブブロック１４０７のうちの少なくとも第１および第２の符号化されたサブブロックを復号する復号モジュール１４０８とを含む。本装置は、復号された第１の符号化されたサブブロック１４０９に基づいて符号化されたサブブロックのうちの１つまたは複数のためのデータ支援チャネル推定を実行するチャネル推定モジュール１４１０をさらに含む。本装置は、ワイヤレス送信１４１３を送信する送信モジュール１４１２をさらに含む。一態様では、ワイヤレス送信１４１３は、復号された第１の符号化されたサブブロックに関連するデータ１４１１に基づき得る。
【００７２】
[0086]本装置は、図１１の上述のフローチャート中のアルゴリズムのステップの各々を実行する追加のモジュールを含み得る。したがって、図１１の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７３】
[0087]図１５は、処理システム１５１４を採用する装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェアモジュールと、モジュール１４０４、１４０６、１４０８、１４１０、および１４１２と、コンピュータ可読媒体／メモリ１５０６とを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【００７４】
[0088]処理システム１５１４はトランシーバ１５１０に結合され得る。トランシーバ１５１０は、１つまたは複数のアンテナ１５２０に結合される。トランシーバ１５１０は、伝送媒体を介して様々な他の装置と通信するための手段を与える。トランシーバ１５１０は、１つまたは複数のアンテナ１５２０から信号を受信し、受信された信号から情報を抽出し、抽出された情報を処理システム１５１４、特に受信モジュール１４０４に与える。さらに、トランシーバ１５１０は、処理システム１５１４、特に送信モジュール１４１２から情報を受信し、受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む一般的な処理を担当する。ソフトウェアは、プロセッサ１５０４によって実行されたとき、処理システム１５１４に、特定の装置のための上記で説明された様々な機能を実行させる。コンピュータ可読媒体／メモリ１５０６はまた、ソフトウェアを実行するときにプロセッサ１５０４によって操作されるデータを記憶するために使用され得る。処理システムは、モジュール１４０４、１４０６、１４０８、１４１０、または１４１２のうちの少なくとも１つをさらに含む。それらのモジュールは、プロセッサ１５０４中で動作するか、コンピュータ可読媒体／メモリ１５０６中に常駐する／記憶されたソフトウェアモジュールであるか、プロセッサ１５０４に結合された１つまたは複数のハードウェアモジュールであるか、またはそれらの何らかの組合せであり得る。一態様では、処理システム１５１４は、ｅＮＢ６１０の構成要素であり得、メモリ６７６、および／あるいはＴＸプロセッサ６１６、ＲＸプロセッサ６７０、またはコントローラ／プロセッサ６７５のうちの少なくとも１つを含み得る。別の態様では、処理システム１５１４は、ＵＥ６５０の構成要素であり得、メモリ６６０、および／あるいはＴＸプロセッサ６６８、ＲＸプロセッサ６５６、またはコントローラ／プロセッサ６５９のうちの少なくとも１つを含み得る。
【００７５】
[0089]一構成では、ワイヤレス通信のための装置１４０２／１４０２’は、データトランスポートブロックに関連する複数の符号化されたサブブロックを受信するための手段と、複数の符号化されたサブブロックが少なくとも第１の符号化されたサブブロックと第２の符号化されたサブブロックとを備える、少なくとも第１の符号化されたサブブロックと第２の符号化されたサブブロックとを復号するための手段と、第１の符号化されたサブブロックの復号に基づいて、複数の符号化されたサブブロックのうちの１つまたは複数のためのデータ支援チャネル推定を実行するための手段と、複数の符号化されたサブブロックのうちの１つまたは複数のサイズを明示的に示す信号を受信するための手段と、複数の符号化されたサブブロックのうちの１つまたは複数のサイズを決定するための手段とを含む。上述の手段は、上述の手段によって具陳される機能を実行するように構成された、装置１４０２の上述のモジュールおよび／または装置１４０２’の処理システム１５１４のうちの１つまたは複数であり得る。一態様では、上記で説明したように、処理システム１５１４は、ＴＸプロセッサ６１６と、ＲＸプロセッサ６７０と、コントローラ／プロセッサ６７５とを含み得る。したがって、一構成では、上述の手段は、上述の手段によって具陳される機能を実行するように構成された、ＴＸプロセッサ６１６と、ＲＸプロセッサ６７０と、コントローラ／プロセッサ６７５とであり得る。別の態様では、上記で説明したように、処理システム１５１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。
【００７６】
[0090]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００７７】
[0091]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
【図１】
2019118110.tif 000003
【図２】
2019118110.tif 000004
【図３】
2019118110.tif 000005
【図４】
2019118110.tif 000006
【図５】
2019118110.tif 000007
【図６】
2019118110.tif 000008
【図７】
2019118110.tif 000009
【図８】
2019118110.tif 000010
【図９】
2019118110.tif 000011
【図１０】
2019118110.tif 000012
【図１１】
2019118110.tif 000013
【図１２】
2019118110.tif 000014
【図１３】
2019118110.tif 000015
【図１４】
2019118110.tif 000016
【図１５】
2019118110.tif 000017
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
基地局におけるワイヤレス通信の方法であって、
データトランスポートブロックを生成することと、
符号化の前に、前記データトランスポートブロックを複数のサブブロックに分割することと、前記複数のサブブロックが、少なくとも第１のサブブロックと第２のサブブロックとを備え、前記第１のサブブロックの第１のサイズが、前記第２のサブブロックの第２のサイズよりも小さく、前記第１のサブブロックの第１の位置が、前記第２のサブブロックの第２の位置よりも前記データトランスポートブロックの先頭に近い、
前記複数のサブブロックを符号化することと、
基準信号（ＲＳ）を送信することと、
前記符号化された複数のサブブロックを送信することと、ここにおいて、前記第１のより小さい符号化されたサブブロックが、前記第２のサブブロックの前記第２の位置よりも前記データトランスポートブロックの前記先頭に近い前記第１の位置において送信される、
を備える、方法。
【請求項２】
前記第１のサブブロックの前記サイズが、前記第２のサブブロックの前記サイズよりも小さく、前記符号化することが、第１のコードレートで前記第１のサブブロックを符号化することと、第２のコードレートで前記第２のサブブロックを符号化することとを備え、前記第１のコードレートが前記第２のコードレートよりも低い、請求項１に記載の方法。
【請求項３】
前記第１の符号化されたサブブロックの前記サイズが、前記第２の符号化されたサブブロックの前記サイズよりも小さく、前記方法が、第１の変調次数で前記第１のサブブロックを変調することと、第２の変調次数で前記第２のサブブロックを変調することとをさらに備え、前記第１の変調次数が前記第２の変調次数よりも低い、請求項１に記載の方法。
【請求項４】
前記第１のサブブロックおよび第２のサブブロックが、異なる符号化方式を使用して符号化され、前記異なる符号化方式が、畳み込み符号化、ターボ符号化、または低密度パリティチェック（ＬＤＰＣ）符号化のうちの少なくとも１つを備える、請求項１に記載の方法。
【請求項５】
基地局におけるワイヤレス通信のための装置であって、
メモリと、
前記メモリに結合された少なくとも１つのプロセッサと
を備え、前記少なくとも１つのプロセッサが、
データトランスポートブロックを生成することと、
符号化の前に、前記データトランスポートブロックを複数のサブブロックに分割することと、前記複数のサブブロックが、少なくとも第１のサブブロックと第２のサブブロックとを備え、前記第１のサブブロックの第１のサイズが、前記第２のサブブロックの第２のサイズよりも小さく、前記第１のサブブロックの第１の位置が、前記第２のサブブロックの第２の位置よりも前記データトランスポートブロックの先頭に近い、
前記複数のサブブロックを符号化することと、
基準信号（ＲＳ）を送信することと、
前記符号化された複数のサブブロックを送信することと、ここにおいて、前記第１のより小さい符号化されたサブブロックが、前記第２のサブブロックの前記第２の位置よりも前記データトランスポートブロックの前記先頭に近い前記第１の位置において送信される、
を行うように構成された、装置。
【請求項６】
前記複数のサブブロックを符号化するようにさらに構成された前記少なくとも１つのプロセッサが、第１のコードレートで前記第１のサブブロックを符号化することと、第２のコードレートで前記第２のサブブロックを符号化することとを行うように構成され、前記第１のコードレートが前記第２のコードレートよりも低い、請求項５に記載の装置。
【請求項７】
前記少なくとも１つのプロセッサが、第１の変調次数で前記第１のサブブロックを変調することと、第２の変調次数で前記第２のサブブロックを変調することとを行うようにさらに構成され、前記第１の変調次数が前記第２の変調次数よりも低い、請求項５に記載の装置。
【請求項８】
前記第１のサブブロックおよび第２のサブブロックが、異なる符号化方式を使用して符号化され、前記異なる符号化方式が、畳み込み符号化、ターボ符号化、または低密度パリティチェック（ＬＤＰＣ）符号化のうちの少なくとも１つを備える、請求項５に記載の装置。
【請求項９】
基地局におけるワイヤレス通信のためのコンピュータ実行可能コードを記憶した非一時的コンピュータ可読媒体であって、
データトランスポートブロックを生成することと、
符号化の前に、前記データトランスポートブロックを複数のサブブロックに分割することと、前記複数のサブブロックが、少なくとも第１のサブブロックと第２のサブブロックとを備え、前記第１のサブブロックの第１のサイズが、前記第２のサブブロックの第２のサイズよりも小さく、前記第１のサブブロックの第１の位置が、前記第２のサブブロックの第２の位置よりも前記データトランスポートブロックの先頭に近い、
前記複数のサブブロックを符号化することと、
基準信号を送信することと、
前記符号化された複数のサブブロックを送信することと、ここにおいて、前記第１のより小さい符号化されたサブブロックが、前記第２のサブブロックの前記第２の位置よりも前記データトランスポートブロックの前記先頭に近い前記第１の位置において送信される、
を行うためのコードを備える、コンピュータ可読媒体。
【請求項１０】
前記第１のサブブロックが、前記第２のサブブロックの第２のコードレートよりも低い第１のコードレートで符号化され、前記第１のサブブロックの前記第１の位置が、前記第２のサブブロックの前記第２の位置よりも前記データトランスポートブロックの前記先頭に近い、請求項２に記載の方法。
【請求項１１】
前記第１のサブブロックの前記第１の変調次数が、前記第２のサブブロックの前記変調次数よりも低く、前記第１のサブブロックの前記第１の位置が、前記第２のサブブロックの前記第２の位置よりも前記データトランスポートブロックの前記先頭に近い、請求項３に記載の方法。
【請求項１２】
基地局におけるワイヤレス通信のための装置であって、
データトランスポートブロックを生成するための手段と、
符号化の前に、前記データトランスポートブロックを複数のサブブロックに分割するための手段と、前記複数のサブブロックが、少なくとも第１のサブブロックと第２のサブブロックとを備え、前記第１のサブブロックの第１のサイズが、前記第２のサブブロックの第２のサイズよりも小さく、前記第１のサブブロックの第１の位置が、前記第２のサブブロックの第２の位置よりも前記データトランスポートブロックの先頭に近い、
基準信号（ＲＳ）および前記符号化された複数のサブブロックを送信するための手段と、ここにおいて、前記第１のより小さい符号化されたサブブロックが、前記第２のサブブロックの前記第２の位置よりも前記データトランスポートブロックの前記先頭に近い前記第１の位置において送信される、
を備える、装置。
【請求項１３】
前記複数のサブブロックの各々の前記サイズに基づいて、いくつかのリソース要素（ＲＥ）に前記符号化された複数のサブブロックの各々をマッピングすることと、
前記ＲＥで基準信号を多重化することと、
をさらに備える、請求項１に記載の方法。
【請求項１４】
前記第１のより小さいサブブロックの前記サイズおよび位置が、前記第１のより小さいサブブロックの復号に基づいて、前記第２のより大きいサブブロックのためのデータ支援チャネル推定を実行する際に、受信機を支援する、請求項１に記載の方法。
【手続補正２】
【補正対象書類名】明細書
【補正対象項目名】００７７
【補正方法】変更
【補正の内容】
【００７７】
[0091]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
［Ｃ１］
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
前記符号化された複数のサブブロックを送信することと
を備える、ワイヤレス通信の方法。
［Ｃ２］
前記第１のサブブロックの前記サイズが前記第２のサブブロックの前記サイズよりも小さく、前記符号化することが、第１のコードレートで前記第１のサブブロックを符号化することと、第２のコードレートで前記第２のサブブロックを符号化することとを備え、前記第１のコードレートが前記第２のコードレートよりも低い、Ｃ１に記載の方法。
［Ｃ３］
前記第１の符号化されたサブブロックの前記サイズが、前記第２の符号化されたサブブロックの前記サイズよりも小さく、前記方法が、第１の変調次数で前記第１のサブブロックを変調することと、第２の変調次数で前記第２のサブブロックを変調することとをさらに備え、前記第１の変調次数が前記第２の変調次数よりも低い、Ｃ１に記載の方法。
［Ｃ４］
前記第１のサブロックと前記第２のサブブロックとが異なる符号化方式を使用して符号化され、前記異なる符号化方式が、畳み込み符号化、ターボ符号化、または低密度パリティチェック（ＬＤＰＣ）符号化のうちの少なくとも１つを備える、Ｃ１に記載の方法。
［Ｃ５］
前記符号化された複数のサブブロックの連続順序に基づいて、前記符号化された複数のサブブロックの各々をリソースマッピングすることをさらに備え、前記リソースマッピングすることは、
前記符号化された複数のサブブロックの各々についてのリソース要素（ＲＥ）の数を決定することと、ＲＥの前記数が、前記符号化された複数のサブブロックの各々のサイズに基づいて決定される、
前記符号化された複数のサブブロックの各々をＲＥの前記決定された数にマッピングすることと
を備える、Ｃ１に記載の方法。
［Ｃ６］
前記符号化された複数のサブブロックのインターリーブされたシーケンスを生成するために、前記符号化された複数のサブブロックのうちの１つまたは複数をインターリーブすることと、
前記インターリーブされたシーケンスに基づいて、前記符号化された複数のサブブロックの各々をリソースマッピングすることと
をさらに備える、Ｃ１に記載の方法。
［Ｃ７］
複数の符号化されたサブブロックのうちの１つまたは複数のサイズを明示的に示す信号を送ることをさらに備える、Ｃ１に記載の方法。
［Ｃ８］
前記変調およびコーディング方式とトランスポートブロックインデックスとの組合せ、  前記送信中のＲＢの数、
前記送信中で送信されるレイヤの数、
前記送信中のサブブロックの数、または
それらの組合せ
のうちの１つまたは複数に基づいて、前記複数の符号化されたサブブロックのうちの１つまたは複数のサイズを暗黙的に示すことをさらに備える、Ｃ１に記載の方法。
［Ｃ９］
データトランスポートブロックに関連する複数の符号化されたサブブロックを受信することと、前記複数の符号化されたサブブロックが少なくとも第１の符号化されたサブブロックと第２の符号化されたサブブロックとを備え、前記第１の符号化されたサブブロックのサイズが前記第２の符号化されたサブブロックのサイズとは異なる、
少なくとも前記第１の符号化されたサブブロックと前記第２の符号化されたサブブロックとを復号することと
を備える、ワイヤレス通信の方法。
［Ｃ１０］
前記第１の符号化されたサブブロックの前記サイズが、前記第２の符号化されたサブブロックの前記サイズよりも小さく、
前記第１の符号化されたサブブロックのコードレートが、前記第２の符号化されたサブブロックのコードレートよりも低い、
Ｃ９に記載の方法。
［Ｃ１１］
前記第１の符号化されたサブブロックの前記サイズが、前記第２の符号化されたサブブロックの前記サイズよりも小さく、
前記第１の符号化されたサブブロックの変調次数が、前記第２の符号化されたサブブロックの変調次数よりも低い、
Ｃ９に記載の方法。
［Ｃ１２］
少なくとも前記第１の符号化されたサブブロックと前記第２の符号化されたサブブロックとを前記復号することは、
前記第１の符号化されたサブブロックの前記サイズが、前記第２の符号化されたサブブロックの前記サイズよりも小さいかどうかを決定することと、
前記第１の符号化されたサブブロックの前記サイズが前記第２の符号化されたサブブロックの前記サイズよりも小さいと決定されたとき、前記第２の符号化されたサブブロックより前に前記第１の符号化されたサブブロックを復号することと
を備える、Ｃ９に記載の方法。
［Ｃ１３］
前記第１の符号化されたサブブロックの前記復号に基づいて、前記複数の符号化されたサブブロックのうちの１つまたは複数のためのデータ支援チャネル推定を実行することをさらに備える、Ｃ１２に記載の方法。
［Ｃ１４］
複数の符号化されたサブブロックのうちの１つまたは複数のサイズを明示的に示す信号を受信することをさらに備える、Ｃ９に記載の方法。
［Ｃ１５］
前記変調およびコーディング方式とトランスポートブロックインデックスとの組合せ、  前記送信中のＲＢの数、
前記送信中で送信されるレイヤの数、
前記送信中のサブブロックの数、または
それらの組合せ
のうちの１つまたは複数に基づいて、前記複数の符号化されたサブブロックのうちの１つまたは複数のサイズを決定することをさらに備える、Ｃ９に記載の方法。
［Ｃ１６］
メモリと、
前記メモリに結合された少なくとも１つのプロセッサと
を備え、前記少なくとも１つのプロセッサは、
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
前記符号化された複数のサブブロックを送信することと
を行うように構成された、ワイヤレス通信のための装置。
［Ｃ１７］
前記第１のサブブロックの前記サイズが前記第２のサブブロックの前記サイズよりも小さく、前記複数のサブブロックを符号化するように構成された前記少なくとも１つのプロセッサが、第１のコードレートで前記第１のサブブロックを符号化することと、第２のコードレートで前記第２のサブブロックを符号化することとを行うように構成され、前記第１のコードレートが前記第２のコードレートよりも低い、Ｃ１６に記載の装置。
［Ｃ１８］
前記第１の符号化されたサブブロックの前記サイズが、前記第２の符号化されたサブブロックの前記サイズよりも小さく、前記少なくとも１つのプロセッサが、第１の変調次数で前記第１のサブブロックを変調することと、第２の変調次数で前記第２のサブブロックを変調することとを行うようにさらに構成され、前記第１の変調次数が前記第２の変調次数よりも低い、Ｃ１６に記載の装置。
［Ｃ１９］
前記第１のサブロックと前記第２のサブブロックとが異なる符号化方式を使用して符号化され、前記異なる符号化方式が、畳み込み符号化、ターボ符号化、または低密度パリティチェック（ＬＤＰＣ）符号化のうちの少なくとも１つを備える、Ｃ１６に記載の装置。
［Ｃ２０］
前記少なくとも１つのプロセッサが、前記符号化された複数のサブブロックの連続順序に基づいて、前記符号化された複数のサブブロックの各々をリソースマッピングするようにさらに構成され、前記少なくとも１つのプロセッサは、
前記符号化された複数のサブブロックの各々についてのリソース要素（ＲＥ）の数を決定することと、ＲＥの前記数が、前記符号化された複数のサブブロックの各々のサイズに基づいて決定される、
前記符号化された複数のサブブロックの各々をＲＥの前記決定された数にマッピングすることと
を行うようにさらに構成された、Ｃ１９に記載の装置。
［Ｃ２１］
前記少なくとも１つのプロセッサが、
前記符号化された複数のサブブロックのインターリーブされたシーケンスを生成するために、前記符号化された複数のサブブロックのうちの１つまたは複数をインターリーブすることと、
前記インターリーブされたシーケンスに基づいて、前記符号化された複数のサブブロックの各々をリソースマッピングすることと
を行うようにさらに構成された、Ｃ１６に記載の装置。
［Ｃ２２］
前記少なくとも１つのプロセッサが、複数の符号化されたサブブロックのうちの１つまたは複数のサイズを明示的に示す信号を送るようにさらに構成された、Ｃ１６に記載の装置。
［Ｃ２３］
前記少なくとも１つのプロセッサが、
前記変調およびコーディング方式とトランスポートブロックインデックスとの組合せ、  前記送信中のＲＢの数、
前記送信中で送信されるレイヤの数、
前記送信中のサブブロックの数、または
それらの組合せ
のうちの１つまたは複数に基づいて、前記複数の符号化されたサブブロックのうちの１つまたは複数のサイズを暗黙的に示すようにさらに構成された、Ｃ１６に記載の装置。
［Ｃ２４］
メモリと、
前記メモリに結合された少なくとも１つのプロセッサと
を備え、前記少なくとも１つのプロセッサは、
データトランスポートブロックに関連する複数の符号化されたサブブロックを受信することと、前記複数の符号化されたサブブロックが少なくとも第１の符号化されたサブブロックと第２の符号化されたサブブロックとを備え、前記第１の符号化されたサブブロックのサイズが前記第２の符号化されたサブブロックのサイズとは異なる、
少なくとも前記第１の符号化されたサブブロックと前記第２の符号化されたサブブロックとを復号することと
を行うように構成された、ワイヤレス通信のための装置。
［Ｃ２５］
前記第１の符号化されたサブブロックの前記サイズが、前記第２の符号化されたサブブロックの前記サイズよりも小さく、
前記第１の符号化されたサブブロックのコードレートが、前記第２の符号化されたサブブロックのコードレートよりも低い、
Ｃ２４に記載の装置。
［Ｃ２６］
前記第１の符号化されたサブブロックの前記サイズが、前記第２の符号化されたサブブロックの前記サイズよりも小さく、
前記第１の符号化されたサブブロックの変調次数が、前記第２の符号化されたサブブロックの変調次数よりも低い、
Ｃ２４に記載の装置。
［Ｃ２７］
前記少なくとも前記第１の符号化されたサブブロックと前記第２の符号化されたサブブロックとを復号するように構成された前記少なくとも１つのプロセッサは、
前記第１の符号化されたサブブロックの前記サイズが、前記第２の符号化されたサブブロックの前記サイズよりも小さいかどうかを決定することと、
前記第１の符号化されたサブブロックの前記サイズが前記第２の符号化されたサブブロックの前記サイズよりも小さいと決定されたとき、前記第２の符号化されたサブブロックより前に前記第１の符号化されたサブブロックを復号することと
を行うように構成された、Ｃ２４に記載の装置。
［Ｃ２８］
前記少なくとも１つのプロセッサが、前記第１の符号化されたサブブロックの前記復号に基づいて、前記複数の符号化されたサブブロックのうちの１つまたは複数のためのデータ支援チャネル推定を実行するようにさらに構成された、Ｃ２７に記載の装置。
［Ｃ２９］
前記少なくとも１つのプロセッサが、複数の符号化されたサブブロックのうちの１つまたは複数のサイズを明示的に示す信号を受信するようにさらに構成された、Ｃ２４に記載の装置。
［Ｃ３０］
コンピュータ可読媒体に記憶されたコンピュータプログラム製品であって、少なくとも１つのプロセッサ上で実行されたとき、前記少なくとも１つのプロセッサに、
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
前記符号化された複数のサブブロックを送信することと
を行わせるコードを備える、コンピュータプログラム製品。
【外国語明細書】
2019118110000001.pdf